(57)【特許請求の範囲】
【請求項１】
表示手段と、
他の携帯電話機と通信を行う外部データインタフェイス手段と、
プログラムに応じた処理を行うＣＰＵと、
このＣＰＵの処理に応じた画面を前記表示手段に表示させる画面データ処理手段と、
契約者情報が記録されたＩＣカードが自装置に装着されているかどうかを検出するカード検出手段とを備え、
前記画面データ処理手段は、通常のモードとして、前記外部データインタフェイス手段に他の携帯電話機が接続された場合には、２画面分の画面データを生成し、第１の画面データに応じた第１の画面を前記表示手段に表示させると共に、第２の画面データを前記外部データインタフェイス手段を介して前記他の携帯電話機に出力するモードと、前記外部データインタフェイス手段から入力された第２の画面データに基づく表示を優先的に行う外部画面データ信号入力モードとして、前記外部データインタフェイス手段に他の携帯電話機が接続された場合には、前記外部データインタフェイス手段が受信した第２の画面データに応じた第２の画面を前記表示手段に表示させるモードとを有し、
前記ＣＰＵと前記画面データ処理手段とは、前記ＩＣカードの装着が検出できない場合に、前記通常のモードから前記外部画面データ信号入力モードに移行することを特徴とする携帯電話機。
【請求項２】
請求項１記載の携帯電話機において、
前記外部データインタフェイス手段は、前記ＣＰＵの起動しているプログラムが外部ディスプレイ表示に対応している場合のみ、前記他の携帯電話機が接続されているかどうかを検出することを特徴とする携帯電話機。
【請求項３】
請求項１記載の携帯電話機において、
さらに、キー入力手段と、
このキー入力手段と前記ＣＰＵと前記外部データインタフェイス手段に接続されたマルチプレクサとを備え、
前記マルチプレクサは、前記通常のモードの場合は前記キー入力手段から入力されたキー入力信号を前記ＣＰＵに出力すると共に前記外部データインタフェイス手段が受信したキー入力信号を前記ＣＰＵに出力し、前記外部画面データ信号入力モードの場合は前記キー入力手段から入力されたキー入力信号を前記外部データインタフェイス手段を介して前記他の携帯電話機に出力することを特徴とする携帯電話機。
【請求項４】
請求項１記載の携帯電話機において、
前記画面データ処理手段は、前記外部画面データ信号入力モードにおいて前記外部データインタフェイス手段に他の携帯電話機が接続された場合に、前記第２の画面データに応じた第２の画面と自装置のＣＰＵの処理に応じた第３の画面とを合成して前記表示手段に表示させることを特徴とする携帯電話機。
【請求項５】
プログラムに応じた処理をＣＰＵが行うプログラム実行ステップと、
外部データインタフェイス手段が、他の携帯電話機が接続されているかどうかを検出する外部装置検出ステップと、
画面データ処理手段が、前記ＣＰＵの処理に応じた画面を表示手段に表示させる画面データ処理ステップと、
契約者情報が記録されたＩＣカードが自装置に装着されているかどうかを検出するカード検出ステップとを備え、
前記画面データ処理ステップは、通常のモードとして、前記外部データインタフェイス手段に他の携帯電話機が接続された場合には、２画面分の画面データを生成し、第１の画面データに応じた第１の画面を前記表示手段に表示させると共に、第２の画面データを前記外部データインタフェイス手段を介して前記他の携帯電話機に出力するモードと、前記外部データインタフェイス手段から入力された第２の画面データに基づく表示を優先的に行う外部画面データ信号入力モードとして、前記外部データインタフェイス手段に他の携帯電話機が接続された場合には、前記外部データインタフェイス手段が受信した第２の画面データに応じた第２の画面を前記表示手段に表示させるモードとを有し、
前記ＣＰＵと前記画面データ処理手段とは、前記ＩＣカードの装着が検出できない場合に、前記通常のモードから前記外部画面データ信号入力モードに移行することを特徴とする携帯電話機の外部表示方法。
【請求項６】
請求項５記載の携帯電話機の外部表示方法において、
前記外部装置検出ステップは、前記ＣＰＵの起動しているプログラムが外部ディスプレイ表示に対応している場合のみ、前記他の携帯電話機が接続されているかどうかを検出することを特徴とする携帯電話機の外部表示方法。
【請求項７】
請求項５記載の携帯電話機の外部表示方法において、
さらに、マルチプレクサが、前記通常のモードの場合はキー入力手段から入力されたキー入力信号を前記ＣＰＵに出力すると共に前記外部データインタフェイス手段が受信したキー入力信号を前記ＣＰＵに出力し、前記外部画面データ信号入力モードの場合は前記キー入力手段から入力されたキー入力信号を前記外部データインタフェイス手段を介して前記他の携帯電話機に出力するキー入力信号切替制御ステップを備えることを特徴とする携帯電話機の外部表示方法。
【請求項８】
請求項５記載の携帯電話機の外部表示方法において、
前記画面データ処理ステップは、前記外部画面データ信号入力モードにおいて前記外部データインタフェイス手段に他の携帯電話機が接続された場合に、前記第２の画面データに応じた第２の画面と自装置のＣＰＵの処理に応じた第３の画面とを合成して前記表示手段に表示させるステップを含むことを特徴とする携帯電話機の外部表示方法。
【発明の詳細な説明】
【技術分野】
【０００１】
本発明は、ディスプレイ画面の外部出力表示を実現することができる携帯電話機および携帯電話機の外部表示方法に関するものである。
【背景技術】
【０００２】
携帯電話機のディスプレイ画面は高精細化が進み、一画面に表示できる情報量が向上してきているが、携帯電話機としての物理的なデザイン上の制約から画面サイズの大型化には制約がある。しかし、携帯電話機を用いて行う作業のし易さを向上させる観点からは、より広い画面表示領域を確保することが望ましい。このため、携帯電話機の画面情報を外部のディスプレイに表示させる方法が考案されている（例えば特許文献１、特許文献２参照）。
【０００３】
【特許文献１】特開２０００−３２４５４４号公報
【特許文献２】特開２００１−２６８１８０号公報
【発明の開示】
【発明が解決しようとする課題】
【０００４】
特許文献１、特許文献２に開示された方法によれば、利用者に携帯電話機の画面情報をより見易い状態で見せることができる。しかしながら、特許文献１、特許文献２に開示された方法では、外部ディスプレイを用意する必要があるため、コストがかかるという問題点があった。
【０００５】
本発明は、上記課題を解決するためになされたもので、ディスプレイ画面の外部出力表示を低コストで実現することができる携帯電話機および携帯電話機の外部表示方法を提供することを目的とする。
【課題を解決するための手段】
【０００６】
本発明の携帯電話機は、表示手段と、他の携帯電話機と通信を行う外部データインタフェイス手段と、プログラムに応じた処理を行うＣＰＵと、このＣＰＵの処理に応じた画面を前記表示手段に表示させる画面データ処理手段と、契約者情報が記録されたＩＣカードが自装置に装着されているかどうかを検出するカード検出手段とを備え、前記画面データ処理手段は、通常のモードとして、前記外部データインタフェイス手段に他の携帯電話機が接続された場合には、２画面分の画面データを生成し、第１の画面データに応じた第１の画面を前記表示手段に表示させると共に、第２の画面データを前記外部データインタフェイス手段を介して前記他の携帯電話機に出力するモードと、前記外部データインタフェイス手段から入力された第２の画面データに基づく表示を優先的に行う外部画面データ信号入力モードとして、前記外部データインタフェイス手段に他の携帯電話機が接続された場合には、前記外部データインタフェイス手段が受信した第２の画面データに応じた第２の画面を前記表示手段に表示させるモードとを有し、前記ＣＰＵと前記画面データ処理手段とは、前記ＩＣカードの装着が検出できない場合に、前記通常のモードから前記外部画面データ信号入力モードに移行することを特徴とするものである。
【０００７】
また、本発明の携帯電話機の１構成例において、前記外部データインタフェイス手段は、前記ＣＰＵの起動しているプログラムが外部ディスプレイ表示に対応している場合のみ、前記他の携帯電話機が接続されているかどうかを検出することを特徴とするものである。
【０００８】
また、本発明の携帯電話機の１構成例は、さらに、キー入力手段と、このキー入力手段と前記ＣＰＵと前記外部データインタフェイス手段に接続されたマルチプレクサとを備え、前記マルチプレクサは、前記通常のモードの場合は前記キー入力手段から入力されたキー入力信号を前記ＣＰＵに出力すると共に前記外部データインタフェイス手段が受信したキー入力信号を前記ＣＰＵに出力し、前記外部画面データ信号入力モードの場合は前記キー入力手段から入力されたキー入力信号を前記外部データインタフェイス手段を介して前記他の携帯電話機に出力することを特徴とするものである。
また、本発明の携帯電話機の１構成例において、前記画面データ処理手段は、前記外部画面データ信号入力モードにおいて前記外部データインタフェイス手段に他の携帯電話機が接続された場合に、前記第２の画面データに応じた第２の画面と自装置のＣＰＵの処理に応じた第３の画面とを合成して前記表示手段に表示させることを特徴とするものである。
【０００９】
また、本発明の携帯電話機の外部表示方法は、プログラムに応じた処理をＣＰＵが行うプログラム実行ステップと、外部データインタフェイス手段が、他の携帯電話機が接続されているかどうかを検出する外部装置検出ステップと、画面データ処理手段が、前記ＣＰＵの処理に応じた画面を表示手段に表示させる画面データ処理ステップと、契約者情報が記録されたＩＣカードが自装置に装着されているかどうかを検出するカード検出ステップとを備え、前記画面データ処理ステップは、通常のモードとして、前記外部データインタフェイス手段に他の携帯電話機が接続された場合には、２画面分の画面データを生成し、第１の画面データに応じた第１の画面を前記表示手段に表示させると共に、第２の画面データを前記外部データインタフェイス手段を介して前記他の携帯電話機に出力するモードと、前記外部データインタフェイス手段から入力された第２の画面データに基づく表示を優先的に行う外部画面データ信号入力モードとして、前記外部データインタフェイス手段に他の携帯電話機が接続された場合には、前記外部データインタフェイス手段が受信した第２の画面データに応じた第２の画面を前記表示手段に表示させるモードとを有し、前記ＣＰＵと前記画面データ処理手段とは、前記ＩＣカードの装着が検出できない場合に、前記通常のモードから前記外部画面データ信号入力モードに移行することを特徴とするものである。
【００１０】
また、本発明の携帯電話機の外部表示方法の１構成例において、前記外部装置検出ステップは、前記ＣＰＵの起動しているプログラムが外部ディスプレイ表示に対応している場合のみ、前記他の携帯電話機が接続されているかどうかを検出することを特徴とするものである。
【００１１】
また、本発明の携帯電話機の外部表示方法の１構成例は、さらに、マルチプレクサが、前記通常のモードの場合はキー入力手段から入力されたキー入力信号を前記ＣＰＵに出力すると共に前記外部データインタフェイス手段が受信したキー入力信号を前記ＣＰＵに出力し、前記外部画面データ信号入力モードの場合は前記キー入力手段から入力されたキー入力信号を前記外部データインタフェイス手段を介して前記他の携帯電話機に出力するキー入力信号切替制御ステップを備えることを特徴とするものである。
また、本発明の携帯電話機の外部表示方法の１構成例において、前記画面データ処理ステップは、前記外部画面データ信号入力モードにおいて前記外部データインタフェイス手段に他の携帯電話機が接続された場合に、前記第２の画面データに応じた第２の画面と自装置のＣＰＵの処理に応じた第３の画面とを合成して前記表示手段に表示させるステップを含むことを特徴とするものである。
【発明の効果】
【００１２】
本発明によれば、ユーザは安いコストで外部ディスプレイ装置を導入することができる。ディスプレイを備えた携帯電話機は広く普及しており、また新機種の発売も頻繁に行われている。通常、新しい機種に買い換えると、古い機種を使用することはできなくなるが、本発明の機能が携帯電話機に実装されていれば、古い機種を外部ディスプレイ装置として活用することができる。したがって、外部ディスプレイ装置を別途用意することなく、低コストで外部出力表示を実現することができる。
【発明を実施するための最良の形態】
【００１３】
［参考例］
以下、本発明の参考例について図面を参照して詳細に説明する。図１は本発明の参考例に係る携帯電話機の構成を示すブロック図である。
図１において、携帯電話機１００はユーザが使用する端末であり、携帯電話機１２０は携帯電話機１００の外部ディスプレイ装置として機能する。
【００１４】
携帯電話機１００は、プログラムに応じた処理を実行するＣＰＵ１０１と、ＣＰＵ１０１の処理に応じた画面を後述するディスプレイに表示させる画面データ処理部１０３と、表示手段となるディスプレイ１０４と、外部装置と通信を行う外部データインタフェイス部１０５とを備えている。
携帯電話機１２０は、携帯電話機１００と同様の構成であり、ＣＰＵ１２１と、画面データ処理部１２３と、ディスプレイ１２４と、外部データインタフェイス部１２５とを備えている。
【００１５】
携帯電話機１００，１２０の各構成要素は、それぞれ概略以下のように動作する。携帯電話機１００の画面データ処理部１０３は、動作中のアプリケーションプログラムに応じてディスプレイ１０４に表示させる第１の画面データの処理を行うほか、動作中のアプリケーションプログラムが外部ディスプレイ表示に対応し、かつ外部ディスプレイ装置が使用可能な状態である場合には、外部ディスプレイ装置に表示させる第２の画面データの処理を行う。
【００１６】
携帯電話機１００の外部データインタフェイス部１０５は、外部ディスプレイ装置などの外部装置が接続されているかどうかを検出する共に、外部ディスプレイ装置が接続されている場合には、画面データ処理部１０３から送られてきた第２の画面データを外部装置へ出力する。
【００１７】
携帯電話機１２０の画面データ処理部１２３は、動作中のアプリケーションプログラムに応じてディスプレイ１２４に表示させる第３の画面データの処理を行うほか、外部データインタフェイス部１２５を通じた外部装置とのデータ受信が可能な状態である場合には、外部データインタフェイス部１２５から送られてきた第２の画面データをディスプレイ１２４に表示させる処理を行う。
【００１８】
携帯電話機１２０の外部データインタフェイス部１２５は、携帯電話機１００などの外部装置との通信を行うと共に、外部装置として携帯電話機１００が接続されている場合には、携帯電話機１００から送られてきた第２の画面データを受信する。
【００１９】
本参考例では、携帯電話機１００，１２０は、動作モードとして、セル検出や待ち受け、音声通信、データ通信などを行う通常のモードと、ネットワークとの通信機能をオフにして、外部データインタフェイス部から入力された画面データに基づく表示を優先的に行う外部画面データ信号入力モードの２つを有する。
【００２０】
携帯電話機１００の画面データ処理部１０３は、通常のモードにおいて外部データインタフェイス部１０５に携帯電話機１２０が接続された場合には、２画面分の画面データを生成し、第１の画面データに応じた第１の画面をディスプレイ１０４に表示させると共に、第２の画面データを外部データインタフェイス部１０５を介して携帯電話機１２０へ出力する。
【００２１】
一方、携帯電話機１２０の画面データ処理部１２３は、外部画面データ信号入力モードにおいて外部データインタフェイス部１２５に携帯電話機１００が接続された場合には、外部データインタフェイス部１２５が受信した第２の画面データに応じた第２の画面をディスプレイ１２４に表示させる。
【００２２】
以上のようにして、本参考例では、安いコストで外部ディスプレイ装置を導入することができる。つまり、ディスプレイを備えた携帯電話機は広く普及しており、また新機種の発売も頻繁に行われている。通常、新しい機種に買い換えると、古い機種を使用することはできなくなるが、本参考例の機能が携帯電話機に実装されていれば、たとえ新しい機種に買い換えたとしても、古い機種を外部ディスプレイ装置として活用することができる。したがって、外部ディスプレイ装置を別途用意することなく、低コストで外部出力表示を実現することができる。
【００２３】
［第１の実施の形態］
次に、本発明の第１の実施の形態について図面を参照して詳細に説明する。図２は本発明の第１の実施の形態に係る携帯電話機の構成を示すブロック図であり、図１と同一の構成には同一の符号を付してある。本実施の形態は、参考例をより具体的に説明するものである。
【００２４】
携帯電話機１００ａは、プログラムに応じた処理を実行するＣＰＵ１０１と、ＣＰＵ１０１のプログラムやデータを記憶するＲＯＭ（Read Only Memory）１０２と、画面データ処理部１０３と、ディスプレイ１０４と、外部データインタフェイス部１０５と、契約者情報が記録されたＩＣカードであるＵＩＭ（User Identity Module）カード１０６と、ＵＩＭカード１０６が自装置に装着されているかどうかを検出するＵＩＭカード検出部１０７と、ネットワークとの通信を行う通信部１０８と、アンテナ１０９と、ＲＡＭ（Random Access Memory）１１０と、カメラ１１１と、キー入力部１１２とを備えている。
【００２５】
携帯電話機１２０ａは、携帯電話機１００ａと同様の構成であり、ＣＰＵ１２１と、ＲＯＭ１２２と、画面データ処理部１２３と、ディスプレイ１２４と、外部データインタフェイス部１２５と、ＵＩＭカード検出部１２７と、通信部１２８と、アンテナ１２９と、ＲＡＭ１３０と、カメラ１３１と、キー入力部１３２とを備えている。
【００２６】
携帯電話機１００ａ，１２０ａの各構成要素は、それぞれ概略以下のように動作する。携帯電話機１００ａのＲＯＭ１０２には、ネットワークからダウンロードしたりカメラ１１１で撮影したりして得られた画像データや音楽データなどのデータの類、ＣＰＵ１０１の基本的な処理のためのプログラム、および画像ビューア機能や音楽プレーヤー機能、メール機能、ゲーム機能などの各種機能を実現するためのアプリケーションプログラムが保存されている。
【００２７】
ＣＰＵ１０１は、ＲＯＭ１０２に保存されたプログラムに応じた処理を実行する。また、ＣＰＵ１０１は、一時的なデータ保存のためにＲＡＭ１１０を使用する。
ＵＩＭカード１０６には、契約者情報、電話帳などのユーザの個人データが保存されている。
【００２８】
通信部１０８は、ネットワークを介した音声通信やデータ通信を行うためにベースバンド信号処理やＲＦ（Radio frequency）信号処理を行う。アンテナ１０９は、通信部１０８から出力されたＲＦ信号を送信すると共に、図示しないネットワークの基地局から送信されたＲＦ信号を受信する。
ＵＩＭカード検出部１０７は、携帯電話機１００ａにＵＩＭカード１０８が装着されているかどうかを検出する。ＵＩＭカード１０６の装着が検出された場合のみ、通信部１０８は動作する。
【００２９】
同様に、携帯電話機１２０ａのＲＯＭ１２２には、ネットワークからダウンロードしたりカメラ１３１で撮影したりして得られた画像データや音楽データなどのデータの類、ＣＰＵ１２１の基本的な処理のためのプログラム、および画像ビューア機能や音楽プレーヤー機能、メール機能、ゲーム機能などの各種機能を実現するためのアプリケーションプログラムが保存されている。ＣＰＵ１２１は、ＲＯＭ１２２に保存されたプログラムに応じた処理を実行する。また、ＣＰＵ１２１は、一時的なデータ保存のためにＲＡＭ１３０を使用する。
【００３０】
通信部１２８は、ネットワークを介した音声通信やデータ通信を行うためにベースバンド信号処理やＲＦ信号処理を行う。アンテナ１２９は、通信部１２８から出力されたＲＦ信号を送信すると共に、ネットワークの基地局から送信されたＲＦ信号を受信する。
ＵＩＭカード検出部１２７は、携帯電話機１２０ａにＵＩＭカードが装着されているかどうかを検出する。なお、本実施の形態では、携帯電話機１２０ａにＵＩＭカードが装着されていない場合について説明する。よって、ＵＩＭカードの装着が検出できないため、通信部１２８は動作しない。
【００３１】
次に、本発明の本実施の形態の動作について詳細に説明する。図３は携帯電話機１００ａ，１２０ａの動作を示すフローチャートである。
例えばユーザによるキー入力部１１２の操作によって携帯電話機１００ａの電源がオンになると、ＵＩＭカード検出部１０７は、ＵＩＭカードが装着されているかどうかを検出する（ステップＳ１）。ここで、携帯電話機１００ａには、ＵＩＭカード１０６が装着されている。ＣＰＵ１０１は、ＵＩＭカード検出部１０７によってＵＩＭカード１０６の装着が検出された場合（ステップＳ１においてＹＥＳ）、通常モードとして通信部１０８を動作可能にし、セル検出や待ち受け状態に移行するような通常のシーケンスで動作する（ステップＳ２）。
【００３２】
一方、携帯電話機１００ａと同一のユーザによるキー入力部１３２の操作によって携帯電話機１２０ａの電源がオンになると、ＵＩＭカード検出部１２７は、ＵＩＭカードが装着されているかどうかを検出する（ステップＳ１）。ここで、携帯電話機１２０ａには、ＵＩＭカードが装着されていない。ＣＰＵ１２１は、ＵＩＭカードの装着が検出できない場合（ステップＳ１においてＮＯ）、通信部１２８を動作不可とし、外部画面データ信号入力モードに移行し、外部データインタフェイス部１２５をオンにする（ステップＳ７）。
【００３３】
次に、携帯電話機１００ａのＣＰＵ１０１は、ＲＯＭ１０２に保存されているプログラムが外部ディスプレイ表示に対応しているかどうかを確認し（ステップＳ３）、外部ディスプレイ表示に対応している場合は、外部装置が接続されているかどうかを検出するポーリングを、外部データインタフェイス部１０５に実行させる（ステップＳ４）。
【００３４】
同様に、携帯電話機１２０ａのＣＰＵ１２１は、ＲＯＭ１２２に保存されているプログラムが外部ディスプレイ表示に対応しているかどうかを確認し（ステップＳ８）、外部ディスプレイ表示に対応している場合は、外部装置が接続されているかどうかを検出するポーリングを、外部データインタフェイス部１２５に実行させる（ステップＳ９）。
【００３５】
なお、ＣＰＵ１０１，１２１は、起動中のプログラムが外部ディスプレイ表示に対応していない場合は、ポーリングを行わずに外部データインタフェイス部１０５，１２５をオフにすることが消費電流の点で望ましい。
【００３６】
ここで、携帯電話機１００ａと携帯電話機１２０ａが接続されると、携帯電話機１００ａの外部データインタフェイス部１０５は、携帯電話機１２０ａの外部データインタフェイス部１２５との接続を検出し（ステップＳ４においてＹＥＳ）、外部装置である携帯電話機１２０ａが接続されたことをＣＰＵ１０１と画面データ処理部１０３に通知する。
【００３７】
一方、携帯電話機１２０ａの外部データインタフェイス部１２５は、携帯電話機１００ａの外部データインタフェイス部１０５との接続を検出し（ステップＳ９においてＹＥＳ）、外部装置である携帯電話機１００ａが接続されたことをＣＰＵ１２１と画面データ処理部１２３に通知する。
【００３８】
なお、外部データインタフェイス部１０５と外部データインタフェイス部１２５の物理的な接続は、ケーブルやアダプタを利用した有線による接続であってもよいし、Ｂｌｕｅｔｏｏｔｈ（登録商標）のような無線モジュールを利用した無線による接続であってもよい。また、外部データインタフェイス部１０５と外部データインタフェイス部１２５間の接続と、携帯電話機１００ａ，１２０ａの電源投入とは、どちらが先に行われてもよい。
【００３９】
次に、外部データインタフェイス部１０５からの通知を受けた携帯電話機１００ａのＣＰＵ１０１は、画面データ処理部１０３の画面データ処理内容を変更する。ＣＰＵ１０１の制御に応じて、画面データ処理部１０３は、今まで行っていたディスプレイ１０４のみの１画面表示用のデータ処理から２画面表示用のデータ処理に変更し、２画面分の画面データを生成する（ステップＳ５）。そして、画面データ処理部１０３は、ディスプレイ１０４用の第１の画面データに応じた第１の画面をディスプレイ１０４に表示させると共に、外部ディスプレイ用の第２の画面データを外部データインタフェイス部１０５に出力する（ステップＳ６）。外部データインタフェイス部１０５は、画面データ処理部１０３から送られてきた第２の画面データを携帯電話機１２０ａに出力する。
【００４０】
外部データインタフェイス部１２５からの通知を受けた携帯電話機１２０ａのＣＰＵ１２１は、携帯電話機１００ａからの画面データを待つように画面データ処理部１２３を制御する。
外部データインタフェイス部１２５は、携帯電話機１００ａの外部データインタフェイス部１０５から第２の画面データを受信すると（ステップＳ１０においてＹＥＳ）し、受信した第２の画面データを画面データ処理部１２３に出力する。
【００４１】
画面データ処理部１２３は、外部データインタフェイス部１２５から送られてきた第２の画面データに応じた第２の画面をディスプレイ１２４に表示させる（ステップＳ１１）。このように、外部画面データ信号入力モードにおいては、外部入力された画面データの表示を優先的に行うように動作する。
【００４２】
このとき、キー入力部１３２を通じたユーザからの設定により、ＣＰＵ１２１と画面データ処理部１２３は、ディスプレイ１２４の明るさや色合いなどの画質調整を行えるようにしてもよい。さらに、画面データ処理部１２３は、ＣＰＵ１２１の処理に応じた画質調整設定用のメニュー画面などの第３の画面と、外部データインタフェイス部１２５から送られてきた第２の画面とを合成してディスプレイ１２４に表示させてもよい。
また、携帯電話機１００ａおよび携帯電話機１２０ａは、ユーザの手動操作により通常モードから強制的に外部画面データ信号入力モードに切り替えられるようにしてもよい。
【００４３】
以上のような構成により、本実施の形態では、参考例で説明した効果を得ることができる。また、本実施の形態では、携帯電話機を簡易な方法で外部ディスプレイ装置として使用することができる。その理由は、携帯電話機を外部ディスプレイ装置としての用途に限定すれば、ＵＩＭカードを装着している必要はないため、ＵＩＭカードの有無を検出してモードを切り替えることにより、即座に外部ディスプレイ装置として利用できるためである。
【００４４】
［第２の実施の形態］
次に、本発明の第２の実施の形態の構成について図４を参照して詳細に説明する。図４は本発明の第２の実施の形態に係る携帯電話機の構成を示すブロック図である。
本実施の形態の携帯電話機１００ｂは、第１の実施の形態の携帯電話機１００ａに対してマルチプレクサ１１３を追加したものであり、携帯電話機１２０ｂは、携帯電話機１２０ａに対してマルチプレクサ１３３を追加したものである。
【００４５】
携帯電話機１００ｂのマルチプレクサ１１３は、キー入力部１１２からのキー入力信号と外部データインタフェイス部１０５ａからのキー入力信号をまとめてＣＰＵ１０１に出力する。すなわち、マルチプレクサ１１３は、ユーザによってキー入力部１１２が操作され、この操作に応じたキー入力信号がキー入力部１１２から出力されたときには、このキー入力信号をＣＰＵ１０１に出力し、また外部データインタフェイス部１０５ａからキー入力信号が出力されたときには、このキー入力信号をＣＰＵ１０１に出力する。
【００４６】
外部データインタフェイス部１０５ａは、第１の実施の形態の外部データインタフェイス部１０５と同じ機能を有し、さらに携帯電話機１２０ｂの外部データインタフェイス部１２５ａから送られてきたキー入力信号をマルチプレクサ１１３へ出力する機能を有する。
【００４７】
一方、携帯電話機１２０ｂのマルチプレクサ１３３は、キー入力部１３２からのキー入力信号の一部をＣＰＵ１２１ではなく、外部データインタフェイス部１２５ａへ出力する。どのキー入力信号を外部データインタフェイス部１２５ａへ出力するかは、ユーザが設定することができる。例えばユーザは、キー入力部１３２を操作し、携帯電話機１２０ｂを外部入力装置として使用することを設定する。この設定に応じて、携帯電話機１２０ｂのＣＰＵ１２１は、マルチプレクサ１３３を制御する。以後、ユーザの操作に応じたキー入力信号は、キー入力部１３２からマルチプレクサ１３３を通じて外部データインタフェイス部１２５ａへ出力される。
【００４８】
外部データインタフェイス部１２５ａは、第１の実施の形態の外部データインタフェイス部１２５と同じ機能を有し、さらにマルチプレクサ１３３から送られてきたキー入力信号を携帯電話機１００ｂへ出力する機能を有する。
その他の動作は、第１の実施の形態と同じである。
【００４９】
以上の構成により、携帯電話機１００ｂを使用しているユーザは、携帯電話１２０ｂを外部ディスプレイ装置として利用すると同時に、外部入力装置としても利用することができる。
【００５０】
以上、上記実施の形態を参照して本発明を説明したが、本発明は、上記実施の形態だけに限定されるものではない。本発明の構成や詳細は、上記実施の形態を適宜組み合わせて用いてもよく、さらに本発明の請求の範囲内において、適宜変更することもできる。
【産業上の利用可能性】
【００５１】
本発明は、携帯電話機上で動作するアプリケーション全般に適用することができる。例えば、２画面を用いたゲームでの利用や、撮影した写真を編集する場合に変更前と変更後を同時に参照しながらの利用や、資料を参照しながらの文章作成作業といった用途に適用できる。
【図面の簡単な説明】
【００５２】
【図１】本発明の参考例に係る携帯電話機の構成を示すブロック図である。
【図２】本発明の第１の実施の形態に係る携帯電話機の構成を示すブロック図である。
【図３】本発明の第１の実施の形態に係る携帯電話機の動作を示すフローチャートである。
【図４】本発明の第２の実施の形態に係る携帯電話機の構成を示すブロック図である。
【符号の説明】
【００５３】
１００，１２０，１００ａ，１２０ａ，１００ｂ，１２０ｂ…携帯電話機、１０１，１２１…ＣＰＵ、１０２，１２２…ＲＯＭ、１０３，１２３…画面データ処理部、１０４，１２４…ディスプレイ、１０５，１２５，１０５ａ，１２５ａ…外部データインタフェイス部、１０６…ＵＩＭカード、１０７，１２７…ＵＩＭカード検出部、１０８，１２８…通信部、１０９，１２９…アンテナ、１１０，１３０…ＲＡＭ、１１１，１３１…カメラ、１１２，１３２…キー入力部、１１３，１３３…マルチプレクサ。
【図１】
0005211850.tif 000002
【図２】
0005211850.tif 000003
【図３】
0005211850.tif 000004
【図４】
0005211850.tif 000005